(57)【要約】【課題】装置全体の大きさを増大させずにＦＦＣ同士の接触を防止する画像読み取り装置を提供する。【解決手段】走査回路１４の出力信号を処理して画像データを出力する処理部と、一端が走査回路に電気的に接続され他端が処理部に電気的に接続され、スキャナハウジングの内部に折り返し部を有し、折り返し部がキャリッジの移動に伴って変形するフレキシブルフラットケーブル１８と、キャリッジに設けられ、フレキシブルフラットケーブル１８の走査回路に接続された一端近傍を原稿台の盤面と概ね平行に支持するクランプ部であって、一端１８ｂ近傍を当該フレキシブルフラットケーブル１８の折り返し部以外の部分から原稿台側に離間させて支持するクランプ部１６ｂと、を備える。【選択図】　図１
2004118030.tif 000002
【特許請求の範囲】
【請求項１】
原稿台を支持している箱形のスキャナハウジングと、
リニアイメージセンサを有する走査回路と、
前記走査回路を搭載し前記スキャナハウジングの内部を前記原稿台の盤面と平行に往復移動するキャリッジと、
前記走査回路の出力信号を処理して画像データを出力する処理部と、
一端が前記走査回路に電気的に接続され他端が前記処理部に電気的に接続され、前記スキャナハウジングの内部に折り返し部を有し、前記折り返し部が前記キャリッジの移動に伴って変形するフレキシブルフラットケーブルと、
前記キャリッジに設けられ、前記フレキシブルフラットケーブルの前記走査回路に接続された一端近傍を前記原稿台の盤面と概ね平行に支持するクランプ部であって、前記一端近傍を当該フレキシブルフラットケーブルの折り返し部以外の部分から前記原稿台側に離間させて支持するクランプ部と、
を備えることを特徴とする画像読み取り装置。
【請求項２】
前記フレキシブルフラットケーブルの両面又は一方の面は、導電性のシールド箔により被覆され、前記シールド箔は接地されていることを特徴とする請求項１に記載の画像読み取り装置。
【発明の詳細な説明】
【０００１】
【発明の属する技術分野】
本発明は画像読み取り装置に関する。
【０００２】
【従来の技術】
走査回路を搭載したキャリッジを原稿台の盤面と平行に往復移動することにより、原稿台に載置された画像を読み取るキャリッジ移動型の画像読み取り装置が知られている。
【０００３】
図４は、従来の画像読み取り装置２の構成を示すブロック図である。キャリッジ移動型の画像読み取り装置２では、スキャナハウジング４１内を往復移動するキャリッジ４２に搭載される走査回路基板４３とスキャナハウジング４１に固定された処理部４４とがフレキシブルフラットケーブル（ＦＦＣ）４５で電気的に接続されている。ＦＦＣ４５は、図示するようにスキャナハウジング４１内で湾曲して折り返されている。
【０００４】
【発明が解決しようとする課題】
しかしながら、従来の画像読み取り装置２のＦＦＣ４５は、図４に示すように走査回路基板４３に接続された端部からほぼ鉛直下向きに垂れ下がり、ＦＦＣ４５の折り返し部と折り返し部以外の部分とが接触するという問題がある。ここでＦＦＣ４５の折り返し部とは、走査回路基板４３に接続された端部からスキャナハウジング４１の底部に接し始める部分までのことをいう。ＦＦＣ４５同士が接触すると接触摩擦によりＦＦＣ４５が劣化し、安定したデータ転送が阻害されることになる。折り返し部と折り返し部以外の部分との間に十分な空間を確保すれば接触は避けられるが、その場合にはスキャナハウジング４１が高さ方向に大きくなるという問題がある。
【０００５】
本発明は、かかる問題に鑑みて創作されたものであって、装置全体の大きさを増大させずにＦＦＣ同士の接触を防止する画像読み取り装置を提供することを目的とする。
【０００６】
【課題を解決するための手段】
請求項１に記載の画像読み取り装置は、原稿台を支持している箱形のスキャナハウジングと、リニアイメージセンサを有する走査回路と、走査回路を搭載しスキャナハウジングの内部を原稿台の盤面と平行に往復移動するキャリッジと、走査回路の出力信号を処理して画像データを出力する処理部と、一端が走査回路に電気的に接続され他端が処理部に電気的に接続され、スキャナハウジングの内部に折り返し部を有し、折り返し部がキャリッジの移動に伴って変形するフレキシブルフラットケーブルと、キャリッジに設けられ、フレキシブルフラットケーブルの走査回路に接続された一端近傍を原稿台の盤面と概ね平行に支持するクランプ部であって、一端近傍を当該フレキシブルフラットケーブルの折り返し部以外の部分から原稿台側に離間させて支持するクランプ部と、を備えることを特徴とする。
【０００７】
この画像読み取り装置によると、フレキシブルフラットケーブルの折り返し部と折り返し部以外の部分とが接触しなくなる。よって、装置全体の大きさを増大させずにＦＦＣ同士の接触を防止できる。
【０００８】
請求項２に記載の画像読み取り装置のフレキシブルフラットケーブルの両面又は一方の面は、導電性のシールド箔により被覆され、シールド箔は接地されていることを特徴とする。
【０００９】
この画像読み取り装置によると、フレキシブルフラットケーブルに対する電磁波の影響を低減できる。また、キャリッジが電磁波を放出しつつ移動することによる電磁誘導によりシールド箔に生じる起電力の影響を接地により低減できる。よってＦＦＣ同士の接触を防止しつつ安定したデータ転送を行うことができる。
【００１０】
【発明の実施の形態】
以下、本発明の実施の形態を実施例に基づいて説明する。
図２は、本発明の一実施例による画像読み取り装置としてのイメージスキャナ１の内部構造を示す模式図である。
【００１１】
スキャナハウジング１１は概ね箱形を呈し、キャリッジ１６、駆動機構１２、処理部１７、フレキシブルフラットケーブル（ＦＦＣ）１８などを収容し、上面に原稿台２０を備えている。
【００１２】
原稿台２０は、スキャナハウジング１１の上部に形成された開口部を閉塞している透明なガラス板であって、スキャナハウジング１１に固定されている。
キャリッジ１６は、スキャナハウジング１１に固定されたガイドロッド２１に摺動自在に支持されている。ガイドロッド２１は、キャリッジ１６の底部がスキャナハウジング１１の底部から距離Ｈだけ原稿台２０側に離間する位置でキャリッジ１６を支持している。距離Ｈについては後述する。キャリッジ１６は駆動機構１２によって回転する図示しないベルトに係止され、ベルトの回転に伴って原稿台２０の盤面と平行に往復移動する。走査回路基板１４には高電圧部品が設けられるため、キャリッジ１６は走査回路基板１４周辺が部分的に難燃性部品としての金属カバーで覆われている。
【００１３】
キャリッジ１６の内部には、リニアイメージセンサ１５を実装した走査回路基板１４及び光学系１３が搭載されている。光学系１３は、図示しない光源、ミラー及びレンズで構成されている。光源は原稿の走査線近傍を照射し、ミラー及びレンズは照射された原稿の走査線上の反射光像をリニアイメージセンサ１５に結像させる。リニアイメージセンサ１５は、ＲＧＢ各色の受光素子が図２において紙面垂直方向に直線状に並ぶ姿勢で走査回路基板１４に搭載されている。リニアイメージセンサ１５は、光学系１３により入力される走査線上の光学像を走査し、その光学像の濃淡に相関する電気信号を出力する。走査回路基板１４には、リニアイメージセンサ１５が実装されている。また図示しない補助回路（インバータ）が光源を駆動している。
【００１４】
駆動機構１２は、スキャナハウジング１１の内部に収容され、ベルトが掛け廻されるプーリ、歯車列、モータ等で構成されている。
処理部１７は、ＦＦＣ１８を介して走査回路基板１４から出力された出力信号を処理して画像を表す画像データを出力する。尚、画像読み取り装置は、プリンタとイメージスキャナとが一体化した所謂複合機であってもよく、複合機の場合は処理部１７をプリンタを収容するプリンタハウジング側に収容してもよい。
【００１５】
ＦＦＣ１８は、曲げに対する反発力を有するケーブルであって、図示するようにスキャナハウジング１１の内部に折り返し部１８ａを形成する姿勢で収容されている。ここで折り返し部１８ａとは、走査回路基板１４に接続された一端１８ｂからスキャナハウジング１１の底部に接し始める部分までのことをいうものとする。折り返し部１８ａは緩やかに湾曲し、ほぼ１８０度曲げられている。折り返し部１８ａは、キャリッジ１６の移動に伴って変形する。ＦＦＣ１８は、キャリッジ１６が図２に示すように移動範囲の端部近傍に位置するときにたるみ、すなわち折り返し部１８ａの長さが最大になる。逆に図２において右側の端部近傍に位置するまで移動したとき長さが最小になる。ＦＦＣ１８は一端１８ｂが走査回路基板１４に電気的に接続され、他端１８ｃが処理部１７に電気的に接続されており、走査回路基板１４の出力信号などを処理部１７に伝送し、処理部１７の制御信号などを走査回路基板１４に伝送する。
【００１６】
また、ＦＦＣ１８はポリエチレンテレフタレートなどの絶縁材で被覆され、更に一端１８ｂ近傍において下を向く側の面には、金属粉を含んだ塗料がシールド箔２３として塗布されている。これによりＦＦＣ１８の一方の面が導電性のシールド箔２３により被覆されることになる。ＦＦＣ１８をシールド箔２３で被覆すると、走査回路基板１４からの高周波の電磁波を反射や吸収によって減衰させることができ、データ転送に対する電磁波の影響を低減できる。また、ＦＦＣ１８のシールド箔２３は、他端１８ｃ近傍で接地されている。キャリッジ１６がＡ方向に往復移動すると走査回路基板１４が高周波の電磁波を放出しつつ移動するため電磁誘導によってシールド箔２３に誘導電流が生じるが、シールド箔２３を接地すると、安定したデータ転送が誘導電流によって阻害されることを防止できる。尚、本実施例では一方の面のみをシールド箔２３で被覆するが、両面を被覆してもよい。また、シールド箔はアルミ箔等であってもよい。
【００１７】
図１は、クランプ部周辺を拡大して示す模式図である。図３（Ａ）は図１において金属カバー１６ａ及びＦＦＣ１８のＩ−Ｉ線の断面を示す模式図であり、図３（Ｂ）はクランプ部周辺の斜視図である。
【００１８】
図１に示すように、金属カバー１６ａの底部にはクランプ部１６ｂが形成されている。クランプ部１６ｂは具体的には例えば、図３（Ｂ）に示すように金属カバー１６ａの底部に２本の平行な切り込みを入れ、２本の切り込みで挟まれた領域に対して絞り加工を施すことにより形成されている。クランプ部１６ｂは、クランプ部１６ｂの図３（Ｂ）において見えている側の面から金属カバー１６ａの下側を向く面までの距離がＦＦＣ１８の厚み分以上になるように絞り加工されている。クランプ部１６ｂを金属カバー１６ａの一部で形成すると、クランプ部１６ｂを形成するための部品点数を削減できる。尚、クランプ部１６ｂは別部品を用いて構成してもよい。前述したようにキャリッジ１６はその底部がスキャナハウジング１１の底部から距離Ｈだけ離間しているため、従ってクランプ部１６ｂをキャリッジ１６の底部に形成すると、ＦＦＣ１８の一端１８ｂ近傍を、ＦＦＣ１８の折り返し部１８ａ以外の部分からほぼ距離Ｈだけ原稿台２０側に離すことができる。
【００１９】
図１に示すように、ＦＦＣ１８の一端１８ｂは走査回路基板１４に接続されており、走査回路基板１４から鉛直下向きに延びた後、プラスチックシート２２の端部で９０度に折れ曲り、クランプ部１６ｂに概ね水平に支持されている。すなわち、ＦＦＣ１８は一端１８ｂ近傍をクランプ部１６ｂによって原稿台２０の盤面とほぼ平行に支持されている。ＦＦＣ１８は曲げに対する反発力を有しているため、一端１８ｂ近傍を盤面と平行に支持すると、図２に示すように折り返し部１８ａのうちクランプ部１６ｂに支持されていない部分は折り返しが始まる位置まで原稿台２０の盤面にほぼ平行に延びる。一端１８ｂ近傍は折り返し部１８ａ以外の部分からほぼ距離Ｈだけ原稿台２０側に離れているため、従って一端１８ｂ近傍を盤面と平行に支持するとＦＦＣ１８同士の接触を防止できる。また、折り返し部１８ａのうちクランプ部１６ｂに支持されていない部分がほぼ平行に延びることから、距離Ｈを長くしなくてもＦＦＣ１８同士の接触を防止でき、従って一端１８ｂ近傍を盤面と平行に支持するとスキャナハウジング４１を高さ方向に大きくする必要がない。
【００２０】
図１に示すように、プラスチックシート２２は、金属カバー１６ａとＦＦＣ１８との間に挟まれて設けられている。金属カバー１６ａの底部の一部をクランプ部１６ｂとして形成すると、金属カバー１６ａの底部に矩形の開口部１６ｃが形成される。開口部１６ｃの角部１６ｄは概ね９０度に形成されるため、ＦＦＣ１８と角部１６ｄとが当接すると角部１６ｄによってＦＦＣ１８の表面が削られてＦＦＣ１８が劣化することになる。プラスチックシート２２はＦＦＣ１８が直接金属カバー１６ａに接触しないようＦＦＣ１８を保護するために設けられている。尚、角部１６ｄを面取りする、あるいは丸みを持たせるなどによりＦＦＣ１８の劣化を防止できればプラスチックシート２２を用いなくてもよい。
【００２１】
以上説明した本発明の一実施例に係るイメージスキャナ１によると、ＦＦＣ１８の走査回路基板１４側の一端１８ｂ近傍が原稿台２０の盤面と概ね平行に支持されるため、ＦＦＣ１８の折り返し部１８ａとＦＦＣ１８の折り返し部１８ａ以外の部分とは接触しなくなる。従って、装置全体の大きさを増大させずにＦＦＣ同士の接触を防止できる。これにより安定したデータ転送を行える。
【図面の簡単な説明】
【図１】本発明の一実施例による画像読み取り装置のクランプ部周辺を示す模式図である。
【図２】本発明の一実施例による画像読み取り装置の内部構造を示す模式図である。
【図３】（Ａ）は本発明の一実施例による画像読み取り装置のクランプ部の断面図であり、（Ｂ）はクランプ部周辺の斜視図である。
【図４】従来の画像読み取り装置の構成を示すブロック図である。
【符号の説明】
１　イメージスキャナ（画像読み取り装置）
２　画像読み取り装置
１１　スキャナハウジング
１４　走査回路基板（走査回路）
１５　リニアイメージセンサ
１６　キャリッジ
１６ｂ　クランプ部
１７　処理部
１８　フレキシブルフラットケーブル
１８ａ　折り返し部
１８ｂ　一端
１８ｃ　他端
２０　原稿台
２３　シールド箔
４１　スキャナハウジング
４２　キャリッジ
４３　走査回路基板
４４　処理部
【図１】
2004118030.tif 000003
【図２】
2004118030.tif 000004
【図３】
2004118030.tif 000005
【図４】
2004118030.tif 000006